(57)【要約】【課題】建物内の床部に形成される段差部において、その遮音性能を向上させることができる床構造を得る。【解決手段】建物１０は、一般床部３０と、一般床部３０に隣接すると共に、一般床部３０よりも床高の低い浴室床部５６と、建物上下方向に沿って配置され、一般床部と浴室床部５６との間に生じる段差部６２を覆う遮音シート７６と、を備えている。【選択図】図１
2020172770.tif 000002
【特許請求の範囲】
【請求項１】
上床部と、
前記上床部に隣接すると共に、前記上床部よりも床高の低い下床部と、
建物上下方向に沿って配置され、前記上床部と前記下床部との間に生じる段差部を覆う遮音材と、
を備える床構造。
【請求項２】
前記上床部と前記下床部は防火材料で構成され、
前記遮音材と前記上床部及び前記下床部の間には、上床部と前記下床部との間に生じる段差部を覆う防火材が建物上下方向に沿って配置され、
前記遮音材は、前記段差部において前記防火材と密着している、
請求項１に記載の床構造。
【請求項３】
前記遮音材は、シート状に形成され、前記上床部及び前記下床部に接触する面が粘着性を有する遮音シートによって構成されている、
請求項１又は請求項２に記載の床構造。
【請求項４】
前記遮音材の上端部は、前記上床部に支持されて建物上方側に立設された建物の壁の壁面部に固定されている、
請求項１〜請求項３の何れか１項に記載の床構造。
【請求項５】
前記遮音材の上端部は、前記上床部と、前記上床部に支持されて建物上方側に立設された建物の壁との間に挟み込まれることにより固定されている、
請求項１〜請求項３の何れか１項に記載の床構造。
【請求項６】
前記上床部は、建物の一般居室の一般床部とされ、
前記下床部は、前記一般居室に隣接する浴室の浴室床部とされ、
前記浴室床部の建物上方側には所定の間隔を空けて前記浴室の内部に設置された浴室ユニットの底壁部が配置されている、
請求項１〜請求項５の何れか１項に記載の床構造。
【発明の詳細な説明】
【技術分野】
【０００１】
本発明は、床構造に関する。
【背景技術】
【０００２】
特許文献１には、上床部（一般床部）と、この上床部に隣接すると共に、上床部よりも床高の低い下床部（下げ床部）を備えた床構造が開示されている。また、当該文献には、上床部を下方側から支持するＨ鋼の上フランジと下フランジの間に遮音材を配置して、上床部と下床部の段差部が原因となる音漏れを抑制し、上記床構造の遮音性能を向上させる構成が開示されている。
【先行技術文献】
【特許文献】
【０００３】
【特許文献１】特開２０１２−０９２５２４号公報
【０００４】
しかしながら、上記先行技術では、上記Ｈ鋼の下方側には遮音材を配置することが出来ないため、段差部においてＨ鋼の下方側に位置する部位で遮音性能が低下する。よって、上記先行技術は、この点において改善の余地がある。
【発明の概要】
【発明が解決しようとする課題】
【０００５】
本発明は上記事実を考慮し、建物内の床部に形成される段差部において、その遮音性能を向上させることができる床構造を得ることが目的である。
【課題を解決するための手段】
【０００６】
第１の態様に係る床構造は、上床部と、前記上床部に隣接すると共に、前記上床部よりも床高の低い下床部と、建物上下方向に沿って配置され、前記上床部と前記下床部との間に生じる段差部を覆う遮音材と、を備えている。
【０００７】
第１の態様に係る床構造では、上床部と下床部の段差部を覆うように遮音材が配置されるため、上床部と下床部の間に遮音材が充填される。これにより、段差部の遮音性能が向上される。
【０００８】
第２の態様に係る床構造は、第１の態様に記載の構成において、前記上床部と前記下床部は防火材料で構成され、前記遮音材と前記上床部及び前記下床部の間には、上床部と前記下床部との間に生じる段差部を覆う防火材が建物上下方向に沿って配置され、前記遮音材は、前記段差部において前記防火材と密着する構造とされている。
【０００９】
第２の態様に係る床構造では、遮音材が段差部を覆うように配置された防火材に密着して配置されるため、防火材が遮音材も兼ねることにより段差部の遮音性能が一層向上する。更に、防火材料で構成された上床部と下床部、及び防火材によって連続した防火区画を形成することができるため、建物の防火性能が向上される。
【００１０】
第３の態様に係る床構造は、第１の態様又は第２の態様に記載の構成において、前記遮音材は、シート状に形成され、前記上床部及び前記下床部に接触する面が粘着性を有する遮音シートによって構成されている。
【００１１】
第３の態様に係る床構造では、遮音シートで構成された遮音材の粘着面を上床部と下床部に当接させることにより、段差部を容易に覆うことができる。また、粘着面で遮音材の位置決めができるため、施工性に優れる。
【００１２】
第４の態様に係る床構造は、第１の態様〜第３の態様の何れか１態様に記載の構成において、前記遮音材の上端部は、前記上床部に支持されて建物上方側に立設された建物の壁の壁面部に固定されている。
【００１３】
第４の態様に係る床構造では、上床部から立設する壁と上床部との境界を遮音材で覆うことができる。これにより、段差部に加えて上床部と壁との間で発生する音漏れを抑制することができ、遮音材による建物の防音性能をより高めることができる。また、遮音材の固定部を壁の壁面に確保することにより、遮音材の取付が容易になる。
【００１４】
第５の態様に係る床構造は、第１の態様〜第３の態様の何れか１態様に記載の構成において、前記遮音材の上端部は、前記上床部と、前記上床部に支持されて建物上方側に立設された建物の壁との間に挟み込まれることにより固定されている。
【００１５】
第５の態様に係る床構造では、壁と共に遮音材の上端部が上床部に固定されるため、遮音材と上床部の間に隙間が生じにくくなる。これにより、段差部の遮音効果がより一層向上される。
【００１６】
第６の態様に係る床構造は、第１の態様〜第５の態様の何れか１態様に記載の構成において、前記上床部は、建物の一般居室の一般床部とされ、前記下床部は、前記一般居室に隣接する浴室の浴室床部とされ、前記浴室床部の建物上方側には所定の間隔を空けて前記浴室の内部に設置された浴室ユニットの底壁部が配置されている。
【００１７】
第６の態様に係る床構造では、一般居室に隣接する浴室に、一般居室の床面よりも床高の低い浴室床部が設けられ、この一般床部と浴室床部の間に段差が発生している。このような床構造の浴室では、一般床部と同じ床高の浴室床部に浴室ユニットを設置する場合に比べ、浴室ユニット内の床高を低く設定し、一般床部との高低差を低減することが可能となる。これにより、浴室をバリアフリーにすることができる。
【００１８】
ところで、例えば、多層階建ての建物の上階フロアで上記構成の浴室を形成すると、浴室の浴室床部が下階フロアの天井部に近くなる。さらに、通常、浴室の浴室床部と浴室ユニットの底壁部との間には排水管等を配設するための空間が形成されている。このため、浴室ユニット内で発生した音が上記空間で反響しやすくなるため、下階フロアへの音漏れが発生しやすくなる。
【００１９】
そこで、本発明においては、このような浴室において一般床部と浴室床部との間に生じる段差部を遮音材で充填することにより、建物内の遮音性能の向上に寄与することができる。
【発明の効果】
【００２０】
以上説明したように、第１の態様に係る床構造によれば、建物内の床部に形成される段差部において、その遮音性能を向上させることができるという優れた効果を有する。
【００２１】
第２の態様に係る床構造によれば、建物内の床部に形成される段差部の遮音性能を向上させ、更に、防火性能を向上させることができるという優れた効果を有する。
【００２２】
第３の態様に係る床構造によれば、遮音材の取付を容易にするという優れた効果を有する。
【００２３】
第４の態様に係る床構造によれば、段差部の遮音を向上すると共に遮音材の取付を容易にするという優れた効果を有する。
【００２４】
第５の態様に係る床構造によれば、遮音材と上床部の間における隙間の発生を防止し、段差部の遮音性能を一層向上させることができるという優れた効果を有する。
【００２５】
第６の態様に係る床構造によれば、多層階建ての建物に設けられるバリアフリー浴室で生ずる音漏れを効果的に抑制することができるという優れた効果を有する。
【図面の簡単な説明】
【００２６】
【図１】第１実施形態に係る床構造が適用された浴室であって、図３に示す領域Ｐを拡大して示す拡大断面図である。
【図２】第１実施形態に係る床構造が適用された浴室の平面図である。
【図３】図２の３−３線に沿って切断した状態を示す断面図である。
【図４】図２の４−４線に沿って切断した状態を示す断面図である。
【図５】図４に示す領域Ｑを拡大して示す拡大断面図である。
【図６】第２実施形態に係る床構造が適用された浴室であって、図１に対応する拡大断面図である。
【図７】比較例としての床構造を示す図である。
【発明を実施するための形態】
【００２７】
〔第１実施形態〕
以下、図１〜図５を用いて、第１実施形態に係る床構造が適用された建物１０の浴室１２について説明する。
【００２８】
（浴室１２の構造）
図２には、建物１０の内部に設けられた浴室１２が平面図で示されている。また、図３には、浴室１２の西側の側面が、図２の３−３線に沿って切断した断面図で示されている。また、図４には、浴室の北側の側面が、図２の４−４線に沿って切断した断面図で示されている。
【００２９】
これらの図に示されるように、建物１０の浴室１２は、南側に配置された南壁部１４と、北側に配置された北壁部１６と、東側に配置された東壁部１８と西側に配置された西壁部２０によって、平面視で略矩形状に形成されている。また、その内部に、中空の直方体状に形成された浴室ユニット２２が設置されている。なお、建物１０は、一例として多層階建ての建物とされており、建物１０内の各フロアに複数戸が隣接して設けられる集合住宅とされている。また、各図に示される浴室１２は、建物１０の上階フロア１０Ａに設けられた一戸内の浴室とされている。
【００３０】
浴室１２の南側及び西側に配置された南壁部１４と西壁部２０は、建物の一般内壁とされている。一方、浴室１２の北側及び東側に配置された北壁部１６と東壁部１８は間仕切壁とされ、浴室１２と、同一戸内の居室２４、２６との間を仕切っている。なお、浴室１２に隣接して設けられた居室２４、２６が、本発明における「一般居室」に相当し、北壁部１６と東壁部１８が本発明における「建物の壁」に相当する。
【００３１】
図３及び図４に示されるように、北壁部１６と東壁部１８は、浴室１２に隣接する居室２４、２６の一般床部３０にそれぞれ支持されて、建物上方側へ立設している。一般床部３０は、防火材料としてのＡＬＣ製のパネルを敷設することにより形成されている。また、居室２４、２６の床面は、一般床部３０の上方側に床下地（符号省略）を敷設し、この床下地の上方側に意匠面を構成する仕上げ材（符号省略）が敷設されることにより形成されている。床下地は、一例として、パーチクルボードや捨貼合板、賃貸遮音マット等により構成されている。なお、一般床部３０が、本発明における「上床部」に相当する。
【００３２】
なお、防火材料とは、建築基準法に規定する不燃材料、準不燃材料、難燃材料のことをいう。
【００３３】
図１及び図５に一部図示されるように、北壁部１６と東壁部１８は、骨格部材を構成する上下一対のランナ３２と、複数のスタッド３４を含んでいる。一対のランナ３２は、一般床部３０と居室２４、２６の天井（不図示）にそれぞれ固定され、建物上下方向に対向し、かつ平行に配置されている。各ランナ３２は、縦断面視において、対向して配置された他のランナ側に開放された略コ字状をなす金属製の長尺部材として構成されている。一対のランナ３２は、一般床部３０及び居室２４、２６の天井と当接する面に複数のビスが打ち込まれることにより、一般床部３０及び天井に固定されている。
【００３４】
スタッド３４は、一例として、角筒状に形成された金属製の長尺部材とされ、建物高さ方向を長手方向とし、ランナ３２の延在方向に沿って所定の間隔を空けて複数配置されている。また、スタッド３４は、上端部と下端部が一対のランナ３２にそれぞれ嵌合されている。スタッド３４の居室２４、２６に面した側面には、ビス等の固定具を用いて内壁材３６が固定されている。また、この内壁材３６の上層には、北壁部１６と東壁部１８の意匠面を構成する図示しない仕上げ材が配置されている。一方、本実施形態では、浴室１２の内部に浴室ユニット２２が設置されているため、北壁部１６と東壁部１８の浴室に面した側面は意匠面とならない。よって、スタッド３４の浴室１２に面した側面には内壁材３６のみが固定されている。
【００３５】
（浴室ユニット２２の構造）
図２〜図４に示されるように、浴室ユニット２２は、四方を囲うように立設された側壁部３８と、側壁部３８の上端部と結合した天井部４０と、側壁部３８の下端部と結合した底壁部４２と、によって中空の直方体状に形成されている。浴室ユニット２２の内部には、浴室１２の西側に浴槽４４が設けられ、浴槽４４に隣接して浴室の東側に洗い場４６が設けられている。また、東側に位置する側壁部３８には、浴室ユニット２２の出入口４８が形成されている。この出入口４８は、東壁部１８に形成された開口部５０と結合され、隣接する居室２６と連通されている。つまり、本実施形態では、居室２６が浴室１２の脱衣所とされている。
【００３６】
図４に示されるように、浴室ユニット２２の底壁部４２は、東側の略半分が洗い場床部４２Ａとされ、洗い場４６の床面を構成している。洗い場床部４２Ａは、東側の一端から底壁部４２の中央に形成される排水口５２へ向かって傾斜する勾配床とされている。また、底壁部４２は、西側の略半部が浴槽支持部４２Ｂとされ、浴槽４４の底面に固定された連結具（符号省略）を介して浴槽４４を建物下方側から支持している。
【００３７】
上記構成の浴室ユニット２２は、底壁部４２の下面に固定された複数の脚部５４を介して浴室１２の浴室床部５６に載置されている。これにより、浴室ユニット２２の底壁部４２と浴室床部５６との間に空間５８が形成される。この空間５８には、排水口５２に接続された排水管６０が配策される構成となっている。また、浴室床部５６は、上述した一般床部３０と同様に、防火材料としての軽量気泡コンクリート（ＡＬＣ）製のパネルを敷設することにより形成されている。なお、浴室床部５６が、本発明における「下床部」に相当する。
【００３８】
図３及び図４に示されるように、浴室床部５６の床高は、浴室１２に隣接する居室２４、２６の一般床部３０の床高よりも低く設定されている。これにより、居室２４、２６の一般床部３０と浴室床部５６との間に段差部６２が形成され、段差部６２には、建物高さ方向の間隙が形成されている。
【００３９】
このように、一般床部３０よりも床高の低い浴室床部５６の上に浴室ユニット２２を設置すると、段差部６２の高さ分、浴室床部５６内の洗い場４６の床高が建物下方側に下げられている。このため、居室２６（脱衣所）の床高と洗い場の床高の高低差が低減されており、浴室１２が、バリアフリー浴室とされている。一例として、本実施形態では、居室２６の床高と洗い場の床高が略同一に設定されている。
【００４０】
上記構成の建物１０の床部の支持構造について説明すると、居室２４、２６の一般床部３０は、水平方向に沿って延在し、建物の躯体を構成する床梁６４に建物下方側から支持されている（図１、図３、図４、図５参照）。本実施形態の床梁６４は、Ｈ鋼で構成されており、ウエブ部６４Ａと、上フランジ部６４Ｂと、下フランジ部６４Ｃと、を含んでいる。ウエブ部６４Ａは、床梁６４の縦断面視で、建物高さ方向に沿って配置されている。上フランジ部６４Ｂは、ウエブ部６４Ａの上端からそれぞれ略水平に張り出している。下フランジ部６４Ｃは、ウエブ部６４Ａの下端からそれぞれ略水平に張り出し、上フランジ部６４Ｂと対向して配置されている。一般床部３０は、床梁６４の上フランジ部６４Ｂの上に載置されることにより、床梁６４によって建物下方側から支持されている。
【００４１】
一方、浴室床部５６は、部材を介して上述した床梁６４に支持されている。具体的に説明すると、パネル状の浴室床部５６の周縁部に沿って配置された床梁６４には、ウエブ部６４Ａに連結部材６６が固定されている。連結部材６６は、折曲された板体で構成され、一端がウエブ部６４Ａにボルト６８とナット７０（ウエルドナット）を用いて締結されている。また、連結部材６６の他端は浴室床部５６側に延出されている。この他端には、断面Ｌ字状に形成され、床梁６４の延在方向に沿って延びる支持部材７２の一側面７２Ａが溶接等の方法で固定されている。そして、浴室床部５６の周縁部が、支持部材７２の他側面７２Ｂの上に載置されている。これにより、連結部材６６と支持部材７２を介して浴室床部５６が床梁６４に支持されている。なお、この状態では、浴室床部５６の下面が、床梁６４の下フランジ部６４Ｃと建物高さ方向で略同位置、又は、下フランジ部６４Ｃよりも建物上方側に配置されるように設定されている。
【００４２】
（本発明の要部）
図１及び図５に示されるように、本実施形態では、一般床部３０と浴室床部５６の段差部６２を覆うように、防火材７４と遮音シート７６が配置されている。防火材７４は、一例として防火材料に含まれるロックウールで形成されており、段差部６２を覆うように建物高さ方向に沿って配置されている。
【００４３】
防火材７４の上端部は、一般床部３０の端面３０Ａと無垢材で形成された当て部材７８に挟持されている。そして、当て部材７８にビス８０を打ち込むことにより、防火材７４の上端部が一般床部３０の端面３０Ａに固定されている。一方、防火材７４の下端部は、当該下端部を上方側から覆うように配置された後述する遮音シート７６の下端部と共にビス８２を用いて浴室床部５６の上面に固定されている。これにより、防火材料で構成された一般床部３０と浴室床部５６、防火材７４によって、居室２４、２６と浴室１２を含む連続した防火区画が形成されている。また、一般床部３０及び浴室床部５６を形成するＡＬＣ製のパネルや防火材７４を形成するロックウールは断熱性に優れるため、当該防火区画によって連続した断熱ラインが形成されている。なお、防火区画とは、建築物内部の火災の延焼防止のために、一定の部分を他の部分と防火的に隔てた区画である。
【００４４】
また、上記防火材７４は、浴室１２に面した側面が遮音シート７６で覆われている。なお、遮音シート７６が、本発明における「遮音材」に相当する。遮音シート７６は、シート状に形成されており、一例として、不織布の吸音材と高比重ゴムシートで構成されている。また、一方の面が、粘着面７６Ａとされており、接着剤が塗布されることにより粘着性が付与されている。この遮音シート７６は、粘着面７６Ａが防火材７４と密着するように建物高さ方向に沿って配置されている。これにより、遮音シート７６が、防火材７４と一体的に構成され、段差部６２を覆うように配置されている。なお、粘着面を有しない遮音シートを防火材７４に密着（当接）させて段差部を覆う構成としてもよい。
【００４５】
図１に示されるように、遮音シート７６の上端部は、粘着面７６Ａの粘着性とテープ８４によって、北壁部１６の内壁材３６の壁面に固定されている。これにより、遮音シート７６の上端部が、北壁部１６及び東壁部１８の壁面に固定されている。
【００４６】
一方、図５に示されるように、浴室ユニット２２の出入口４８と東壁部１８の開口部５０が連結された部分では、防火材７４の上端部と当て部材７８が、ビス８６を用いて一般床部３０の端面３０Ａに固定されている。更に、遮音シート７６の上端部が、当て部材７８に重ね合わされており、防火材７４、当て部材７８、と共に、ビス８７を用いて一般床部３０の端面３０Ａに固定されている。また、この状態では、防火材７４、当て部材７８、遮音シート７６の上端部が一般床部３０の上面と略面一となるように配置されている。
【００４７】
また、図１、図５に示されるように、遮音シート７６の下端部は、防火材７４の下端部を覆うように延在し、上述したビス８２に加えて、粘着面７６Ａの粘着性とテープ８４を用いて浴室床部５６に固定されている。なお、遮音シート７６において、ビス８２との固定部と異なる部位に、遮音シート７６と浴室床部５６とを直接ビスで固定する部位を設けてもよい。
【００４８】
（作用・効果）
次に、本実施形態の作用並びに効果について、図７に示す床構造と対比しつつ説明する。図７に示す床構造では、建物９０の上階フロア９０Ａの一般床部９２の上方側に浴室９４と浴室９４に隣接する居室９６（脱衣所）が形成されている。また、浴室９４と居室９６を仕切る間仕切壁９８に形成された開口部１００が、浴室ユニット１０２の出入口（符号省略）と連結されている。このような床構造においては、浴室ユニット１０２と居室９６が共通の一般床部９２の上方側に設けられているため、浴室９４と居室９６との間に段差部が生じない。よって、下階フロア９０Ｂの天井部１０４を介して上階フロア９０Ａの生活音が伝わりにくい。一方で、浴室ユニット１０２内の床面が居室９６の床面の床高よりも高くなるため、居室９６と浴室ユニット１０２を出入りする際に、段差部１０６を乗り越える必要がある。
【００４９】
これに対し、本実施形態では、一般居室（居室２４、２６）に隣接する浴室１２に、一般居室の一般床部３０よりも床高の低い浴室床部５６が設けられ、この一般床部３０と浴室床部５６の間に段差部６２が発生している。このような床構造の浴室１２では、一般床部と同じ床高の浴室床部に浴室ユニットを設置する場合に比べ、浴室ユニット２２内の床高を下げて一般床部３０との高低差を低減することが可能となる。これにより、浴室１２をバリアフリーにすることができる。
【００５０】
ところで、本実施形態のように、多層階建ての建物１０の上階フロア１０Ａの浴室１２では、浴室１２の浴室床部５６が下階フロアの天井部（不図示）に近くなる。さらに、通常、浴室１２の浴室床部５６と浴室ユニット２２の底壁部４２との間には排水管６０等を配設するための空間５８が形成されている。このため、浴室ユニット２２内で発生した音が空間５８で反響しやすくなるため、一般床部３０と浴室床部５６の間の段差部６２を通じて下階フロアへの音漏れが発生しやすくなる。
【００５１】
一般床部３０と浴室床部５６の段差部６２を覆うように遮音シート７６が配置されるため、一般床部３０と浴室床部５６の間に遮音シート７６が充填される。これにより、段差部６２の遮音効果を向上させることができる。
【００５２】
また、本実施形態では、遮音シート７６が段差部６２を覆うように配置された防火材７４に密着して配置されるため、防火材７４が遮音材としての機能も兼ねることにより段差部６２の遮音効果が一層向上する。更に、防火材料で構成された一般床部３０と浴室床部５６、及び防火材７４によって連続した防火区画を形成することができるため、建物１０の防火性能を向上させることができる。
【００５３】
また、本実施形態では、遮音シート７６の粘着面７６Ａを一般床部３０と浴室床部５６に当接させることにより、段差部６２を容易に覆うことができる。また、粘着面７６Ａにより遮音シート７６の位置決めができるため、施工性に優れる。
【００５４】
また、本実施形態では、遮音シート７６の上端部が北壁部１６及び東壁部１８の壁面（内壁材３６の壁面）に固定されているため、北壁部１６及び東壁部１８と一般床部３０との境界を遮音シート７６で覆うことができる。これにより、段差部６２に加えて一般床部３０と壁との間で発生する音漏れを抑制することができ、遮音シート７６による建物の防音性能をより高めることができる。また、遮音シート７６の固定部を北壁部１６及び東壁部１８の壁面に確保することにより、遮音シート７６の取付が容易になる。
【００５５】
また、本実施形態では、一般床部３０と浴室床部５６が、建物１０の躯体を構成する共通の床梁６４によって支持されている。これにより、床高が互いに異なる複数の床部が、各床部の床高に対応する建物躯体によって別途支持される構造に比べて、部材点数を抑えることができる。その結果、建物の施工コストの削減及び工期の短縮を図ることができ、更に、建物全体の重量の低減に寄与することができる。
【００５６】
〔第２実施形態〕
以下、図６を用いて、本発明に係る床構造の第２実施形態について説明する。なお、前述した第１実施形態と同一構成部分については、同一番号を付してその説明を省略する。
【００５７】
図６に示されるように、この第２実施形態では、遮音シート７６の上端部が、一般床部３０と東壁部１８の間に挟み込まれている点に特徴がある。具体的には、遮音シート７６の上端部は、床下地材（符号省略）を介して一般床部３０の上方側に配置され、当該上端部を建物上方側から挟み込むように東壁部１８が一般床部３０に固定されている。これにより、遮音シート７６の上端部は、粘着面７６Ａの粘着性とテープ８４を用いて床下地材の上面に固定されている。また、東壁部１８と共に一般床部３０に固定されることにより、遮音シート７６と一般床部３０の間の気密性が高められている。
【００５８】
（作用・効果）
上記構成の床構造は、基本的には第１実施形態に係る床構造の構成を踏襲しているため、同様の作用及び効果を得ることができる。
【００５９】
また、本実施形態では、北壁部１６及び東壁部１８と共に遮音シート７６の上端部が一般床部３０に固定されるため、遮音シート７６と一般床部３０の間に隙間が生じにくくなる。これにより、段差部６２の遮音効果をより一層向上させることができる。
【００６０】
[補足説明]
上記各実施形態では、本発明に係る床構造が浴室１２と一般居室（居室２４、２６）との間に生じる床高の段差部に適用されたが、本発明はこれに限らない。例えば、玄関の土間と一般居室又は廊下等との間に生じる床高の段差部に適用してもよい。すなわち、一般居室の床部を構成する一般床部と、一般床部よりも床高の低い土間を構成する土間床部との間に形成される段差部を遮音材で覆う構成としてもよい。
【００６１】
また、上記各実施形態では、遮音シート７６が防火材７４の浴室１２側に配置される構成としたが、本発明はこれに限らず、防火材７４を設けない構成としてもよい。
【００６２】
また、上記各実施形態では、一般床部３０及び浴室床部５６が防火材料で形成される構成としたが、本発明はこれに限らず、防火材料に含まれない材料で形成してもよい。
【００６３】
また、上記各実施形態では、遮音材が樹脂材料で形成された遮音シート７６で構成されているが、本発明はこれに限らない。板状でもよく、ブロック状でもよい。また、樹脂製に限らず、ロックウール、グラスウール製としてもよい。
【００６４】
また、上記各実施形態では、遮音シート７６の上端部及び下端部の縁がテープ８４によって固定される構成としたが、遮音シート７６が粘着面７６Ａを備える構成においては、テープ８４を省略してもよい。更に、遮音シート７６の下端部が、防火材７４の下端部と共にビス８２を用いて固定されない構成としてもよい。上記構成では、シールの糊代幅等の確保が不要となるため、遮音シートのサイズの拡大を抑制することができる。
【００６５】
また、上記各実施形態では、北壁部１６と東壁部１８の浴室に面した側面に内壁材３６が配置される構成としたが、本発明はこれに限らず、浴室に面した側面に内壁材３６を配置しない構成とし、遮音シート７６の上端部がランナ３２又はスタッド３４の上端部に固定される構成としてもよい。また、この場合に、遮音シート７６の外側から内壁材３６を固定して、遮音シート７６の上端部がランナ３２と内壁材３６の間に挟み込まれるように固定される構成としてもよい。
【符号の説明】
【００６６】
１０    建物
１２    浴室
１６    北壁部（建物の壁）
１８    東壁部（建物の壁）
２２    浴室ユニット
２４    居室（一般居室）
２６    居室（一般居室）
３０    一般床部（上床部）
４２    底壁部
５６    浴室床部（下床部）
６２    段差部
７４    防火材
７６    遮音シート（遮音材）
【図１】
2020172770.tif 000003
【図２】
2020172770.tif 000004
【図３】
2020172770.tif 000005
【図４】
2020172770.tif 000006
【図５】
2020172770.tif 000007
【図６】
2020172770.tif 000008
【図７】
2020172770.tif 000009